(57)【要約】【課題】  前面パネルの保守性に優れる遊技機前面パネルの取り付け構造を提供する。【解決手段】  遊技機本体に形成され、遊技機前面パネルの上縁部を前後に挟持して前方揺動位置と後方揺動位置との間で前後に揺動可能に遊技機前面パネルを支持する顎部と、遊技機本体に形成され、後方揺動位置に在る遊技機前面パネルの両側縁部に後方から当接する揺動止め部と、遊技機本体に形成され、後方揺動位置に在る遊技機前面パネルの下縁に下方から当接する腕部と、下縁部を中心にして前方揺動位置と後方揺動位置との間で前後に揺動可能に、且つ前方揺動位置と後方揺動位置とに保持可能に遊技機本体に係合する枠体とを備え、枠体は、枠体が前方揺動位置に在る時に前方揺動位置から後方揺動位置へ向けて揺動する遊技機前面パネルの下縁に干渉せず、枠体が後方揺動位置にある時に後方揺動位置に在る遊技機前面パネルの下縁部に前方から当接する爪を有する。【選択図】  図２
2007089720.tif 000002
【特許請求の範囲】
【請求項１】
遊技機本体に形成され、遊技機前面パネルの上縁部を前後に挟持して前方揺動位置と後方揺動位置との間で前後に揺動可能に遊技機前面パネルを支持する顎部と、遊技機本体に形成され、後方揺動位置に在る遊技機前面パネルの両側縁部に後方から当接する揺動止め部と、遊技機本体に形成され、後方揺動位置に在る遊技機前面パネルの下縁に下方から当接する腕部と、下縁部を中心にして前方揺動位置と後方揺動位置との間で前後に揺動可能に、且つ前方揺動位置と後方揺動位置とに保持可能に遊技機本体に係合する枠体とを備え、枠体は、枠体が前方揺動位置に在る時に前方揺動位置から後方揺動位置へ向けて揺動する遊技機前面パネルの下縁に干渉せず、枠体が後方揺動位置にある時に後方揺動位置に在る遊技機前面パネルの下縁部に前方から当接する爪を有することを特徴とする遊技機前面パネルの取り付け構造。
【請求項２】
枠体は弾性フックを有し、枠体が前方揺動位置に在る時に前記弾性フックが弾性係合する前方係止部と、枠体が後方揺動位置に在る時に前記弾性フックが弾性係合する後方係止部とが遊技機本体に形成されていることを特徴とする請求項１に記載の遊技機前面パネルの取り付け構造。
【請求項３】
枠体は、爪を含む第１部分と、弾性フックを含む第２部分とにより構成され、第２部分は、後方揺動位置に在って下縁が上方から腕部に当接した遊技機前面パネルの下縁部に後方揺動位置に在る枠体の爪が前方から当接した状態では、遊技機プレイヤーの視界から遮蔽されることを特徴とする請求項１又は２に記載の遊技機前面パネルの取り付け構造。
【請求項４】
枠体が前方揺動位置に在る時、枠体の第２部分は腕部の下方後方から腕部の下方前方に亙って延在していることを特徴とする請求項１乃至３の何れか１に記載の遊技機前面パネルの取り付け構造。
【発明の詳細な説明】
【技術分野】
【０００１】
本発明は、遊技機前面パネルの取り付け構造に関するものである。
【背景技術】
【０００２】
遊技機前面パネルを遊技機本体に取り付ける枠体を前面パネルと一体化し、当該枠体を遊技機本体に取り付けることを特徴とする遊技機前面パネルの取り付け構造が特許文献１に開示されている。
【特許文献１】実公平５−１９０９９号公報
【発明の開示】
【発明が解決しようとする課題】
【０００３】
特許文献１の遊技機前面パネルの取り付け構造には、前面パネルを保守する際に、枠体ごと遊技機本体から取り外す必要があり、前面パネルの保守性が悪いという問題がある。
本発明は上記問題に鑑みてなされたものであり、前面パネルの保守性に優れる遊技機前面パネルの取り付け構造を提供することを目的とする。
【課題を解決するための手段】
【０００４】
上記課題を解決するために、本発明においては、遊技機本体に形成され、遊技機前面パネルの上縁部を前後に挟持して前方揺動位置と後方揺動位置との間で前後に揺動可能に遊技機前面パネルを支持する顎部と、遊技機本体に形成され、後方揺動位置に在る遊技機前面パネルの両側縁部に後方から当接する揺動止め部と、遊技機本体に形成され、後方揺動位置に在る遊技機前面パネルの下縁に下方から当接する腕部と、下縁部を中心にして前方揺動位置と後方揺動位置との間で前後に揺動可能に、且つ前方揺動位置と後方揺動位置とに保持可能に遊技機本体に係合する枠体とを備え、枠体は、枠体が前方揺動位置に在る時に前方揺動位置から後方揺動位置へ向けて揺動する遊技機前面パネルの下縁に干渉せず、枠体が後方揺動位置にある時に後方揺動位置に在る遊技機前面パネルの下縁部に前方から当接する爪を有することを特徴とする遊技機前面パネルの取り付け構造を提供する。
本発明に係る遊技機前面パネルの取り付け構造を用いて遊技機前面パネルを遊技機本体に取り付ける際には、枠体を前方揺動位置まで揺動させて当該位置に保持し、前方揺動位置に在る時と同様に前後傾斜させた遊技機前面パネルの上縁部を顎部に差込んで顎部に挟持させる。次いで遊技機前面パネルを後方揺動位置まで揺動させて遊技機前面パネルの両側縁部を前方から揺動止め部に当接させると共に遊技機前面パネルの下縁を上方から腕部に当接させ、枠体を後方揺動位置まで揺動させて爪を遊技機前面パネルの下縁部に前方から当接させると共に枠体を後方揺動位置に保持する。上記行程により、遊技機前面パネルの上縁部が顎部により前後に挟持され、遊技機前面パネルの両側縁部が前方から揺動止め部に当接し、遊技機前面パネルの下縁が上方から腕部に当接すると共に遊技機前面パネルの下縁部が後方から枠体の爪に当接した状態で、遊技機前面パネルは遊技機本体に取り付けられる。
遊技機前面パネルを遊技機本体から取り外す際には、枠体を前方揺動位置まで揺動させて当該位置に保持し、遊技機前面パネルを前方揺動位置まで揺動させ、遊技機前面パネルを前方下方へ引いて顎部の挟持から遊技機前面パネルの上縁部を解放する。上記行程により、遊技機前面パネルは遊技機本体から取り外される。
上記説明から分かるように、本発明に係る遊技機前面パネルの取り付け構造においては、遊技機前面パネルを遊技機本体に取り付ける枠体は遊技機前面パネルの下縁部の支持にのみ寄与しており、且つ後方揺動位置に在る時にのみ遊技機前面パネルに係合するので、枠体を前方揺動位置まで揺動させて枠体と遊技機前面パネルとの係合を解除することにより、遊技機前面パネルのみを遊技機本体から容易に取り外すことができる。従って、本発明に係る遊技機前面パネルの取り付け構造は、遊技機前面パネルの保守性に優れる。
遊技機前面パネルを遊技機本体に取り付けた状態で、遊技機前面パネルの両側縁部は前方から揺動止め部に当接しているのみであり、遊技機前面パネルの両側縁部を前方から覆う枠体は存在しないので、意匠を表現できる遊技機前面パネルの面積が広い。この結果、遊技機の顧客吸引力が向上する。
【０００５】
本発明の好ましい態様においては、枠体は弾性フックを有し、枠体が前方揺動位置に在る時に前記弾性フックが弾性係合する前方係止部と、枠体が後方揺動位置に在る時に前記弾性フックが弾性係合する後方係止部とが遊技機本体に形成されている。
弾性フックを前方係止部に弾性係合させて枠体を前方揺動位置に保持し、弾性フックを後方係止部に弾性係合させて枠体を後方揺動位置に保持することができる。
【０００６】
本発明の好ましい態様においては、枠体は、爪を含む第１部分と、弾性フックを含む第２部分とにより構成され、第２部分は、後方揺動位置に在って下縁が上方から腕部に当接した遊技機前面パネルの下縁部に後方揺動位置に在る枠体の爪が前方から当接した状態では、遊技機プレイヤーの視界から遮蔽される。
遊技機の稼働時に遊技機プレイヤーの視界から遮蔽される枠体の第２部分は意匠性向上のための表面処理を必要としない。表面処理をしないことにより、弾性フックの弾性低下を防止することができる。
【０００７】
本発明の好ましい態様においては、枠体が前方揺動位置に在る時、枠体の第２部分は腕部の下方後方から腕部の下方前方に亙って延在している。
枠体が前方揺動位置に在る状態では、後方揺動位置に在る遊技機前面パネルの下縁は上方から腕部に当接するのみであり、腕部に沿って前方へ滑動可能である。係る状態で、遊技機前面パネルの上縁部が何らかの原因で顎部による挟持から離脱すると、遊技機前面パネルは下縁を腕部に沿って前方へ滑らせつつ遊技機本体から脱落する可能性がある。枠体が前方揺動位置に在る時、枠体の第２部分が腕部の下方後方から腕部の下方前方に亙って延在していれば、遊技機前面パネルの下縁が腕部に沿って前方へ滑り、腕部の前端から滑落した時に、枠体の第２部分が滑落した遊技機前面パネルの下縁を受け止めるので、遊技機前面パネルの遊技機本体からの脱落が防止される。
【発明の効果】
【０００８】
本発明に係る遊技機前面パネルの取り付け構造においては、遊技機前面パネルを遊技機本体に取り付ける枠体は遊技機前面パネルの下縁部の支持にのみ寄与しており、且つ後方揺動位置に在る時にのみ遊技機前面パネルの下縁部に前方から当接して遊技機前面パネルの支持に寄与するので、枠体を前方揺動位置まで揺動させて枠体と遊技機前面パネルとの係合を解除することにより、遊技機前面パネルのみを遊技機本体から容易に取り外すことができる。従って、本発明に係る遊技機前面パネルの取り付け構造は、遊技機前面パネルの保守性に優れる。
遊技機前面パネルを遊技機本体に取り付けた状態で、遊技機前面パネルの両側縁部は前方から揺動止め部に当接しているのみであり、遊技機前面パネルの両側縁部を前方から覆う枠体は存在しないので、意匠を表現できる遊技機前面パネルの面積が広い。この結果、遊技機の顧客吸引力が向上する。
【発明を実施するための最良の形態】
【０００９】
本発明の実施例に係る遊技機前面パネルの取り付け構造を説明する。
【００１０】
図１〜３に示すように、スロットマシン本体１の前面に、前面パネル取り付け用の開口１ａが形成されている。開口１ａの上縁部に、スロットマシンの前面パネル２の上縁部を前後に挟持して、図２に実線で示す前方揺動位置と、図２に破線で示し図３に実線で示す後方揺動位置との間で前後に揺動可能に、前面パネル２を支持する顎部３が形成されている。顎部３はスロットマシン本体１の一部を形成している。
図１、図２、図４に示すように、開口１ａの左右両側縁部に、後方揺動位置に在る前面パネル２の両側縁部に後方から当接する一対の揺動止め部４が形成されている。一対の揺動止め部４の下端近傍に、後方揺動位置に在る前面パネル２の下縁に下方から当接する一対の腕部５が形成されている。揺動止め部４と腕部５とはスロットマシン本体１の一部を形成している。
【００１１】
図２、図３、図５に示すように、開口１ａの下縁近傍部に係合可能な枠体６が配設されている。枠体６は、開口１ａの横幅と略同一長さの略Ｌ型断面の第１部分７と、第１部分７の上方へ延びる第１脚部７ａに固定された左右上下反転略Ｌ型断面の第２部分８とを有している。
第１部分７の後方へ延びる第２脚部７ｂの先端（後端）の左右両側部に一対の爪７ｃが形成されている。第１部分７の上方へ延びる第１脚部７ａの先端（上端）は、後方揺動位置に在る前面パネル２の下縁部に前方から当接可能な爪７ｄを形成している。
第２部分８の下方へ延びる第１脚部８ａは第１部分７の第１脚部７ａと略平行に延在し、前方へ延びる第２脚部８ｂは第１部分７の第２脚部７ｂと略平行に延在して第１部分７の第１脚部７ａの上端近傍部に当接している。第１脚部８ａの上端の左右両側部から一対の弾性フック８ｃが後方へ延びている。弾性フック８ｃは先端（後端）の爪８ｃ’と、爪８ｃ’と第１脚部８ａとの間で延在する帯板状のバネ部８ｃ”とにより構成されている。
【００１２】
図１〜３に示すように、開口１ａの下縁部の左右両側部に、一対の爪７ｃと係合可能な一対の爪９が形成され、図１〜３、６に示すように、開口１ａの内奥部に且つ一対の腕部５の近傍に、一対の爪８ｃ’と係合可能な一対の前方係止部１０ａと一対の後方係止部１０ｂとが形成されている。一対の爪９と一対の前方係止部１０ａと一対の後方係止部１０ｂとはスロットマシン本体１の一部を形成している。
【００１３】
枠体６は、一対の爪７ｃをスロットマシン本体１に形成された一対の爪９に係合させ、一対の弾性フック８ｃの爪８ｃ’をスロットマシン本体１に形成された一対の前方係止部１０ａに弾性係合させた図２に示すと共に図６に実線で示す前方揺動位置と、一対の爪７ｃをスロットマシン本体１に形成された一対の爪９に係合させ、一対の弾性フック８ｃの爪８ｃ’をスロットマシン本体１に形成された一対の後方係止部１０ｂに弾性係合させた図３に示すと共に図６に破線で示す後方揺動位置との間で、下縁部の後端を中心にして前後に揺動可能に、且つ前方揺動位置と後方揺動位置とに保持可能に、スロットマシン本体１に係合している。
弾性フック８ｃのバネ部８ｃ”が撓むので、爪８ｃ’は、前方係止部１０ａと後方係止部１０ｂとの間でスロットマシン本体１との係合位置を変更することができる。
【００１４】
本発明の実施例に係る遊技機前面パネルの取り付け構造を用いて前面パネル２をスロットマシン本体１に取り付ける際には、図２、７に示すように、枠体６を前方揺動位置まで揺動させて当該位置に保持する。次いで図２、７に示すように、前方揺動位置に在る時と同様に前後傾斜させた前面パネル２の上縁部を顎部３に差込んで顎部３に前記上縁部を前後に挟持させる。顎部３に前記上縁部を前後に挟持させた状態で、図３、８に示すように、前面パネル２を後方揺動位置まで揺動させて前面パネル２の下縁を上方から腕部５に当接させ、次いで、枠体６を後方揺動位置まで揺動させて爪７ｄを前面パネル２の下縁部に前方から当接させると共に枠体６を後方揺動位置に保持する。
上記工程により、前面パネル２の上縁部が顎部３により前後に挟持され、前面パネル２の両側縁部が前方から揺動止め部４に当接し、前面パネル２の下縁が上方から腕部５に当接すると共に前面パネル２の下縁部が後方から枠体６の爪７ｄに当接した状態で、前面パネル２はスロットマシン本体１に取り付けられる。
【００１５】
前面パネル２をスロットマシン本体１から取り外す際には、枠体６を前方揺動位置まで揺動させて当該位置に保持し、前面パネル２を前方揺動位置まで揺動させ、前面パネル２を前方下方へ引いて顎部３の挟持から前面パネル２の上縁部を解放する。上記工程により、前面パネル２はスロットマシン本体１から取り外される。
【００１６】
上記説明から分かるように、本実施例に係る遊技機前面パネルの取り付け構造においては、枠体６は前面パネル２の下縁部の支持にのみ寄与しており、且つ後方揺動位置に在る時にのみ前面パネル２に係合するので、枠体６を前方揺動位置まで揺動させて枠体６と前面パネル２との係合を解除することにより、前面パネル２のみをスロットマシン本体１から容易に取り外すことができる。従って、本実施例に係る遊技機前面パネルの取り付け構造は、前面パネル２の保守性に優れる。スロットマシン本体１から容易に取り外し可能な前面パネル２は、スロットマシンの製造工程において、スロットマシン本体１に容易に取り付け可能なので、スロットマシンの生産性が向上する。
前面パネル２をスロットマシン本体１に取り付けた状態で、前面パネル２の両側縁部は前方から揺動止め部４に当接しているのみであり、前面パネル２の両側縁部を前方から覆う枠体は存在しないので、意匠を表現できる前面パネル２の面積が広い。この結果、スロットマシンの顧客吸引力が向上する。
【００１７】
枠体６が弾性フック８ｃを備えるので、弾性フック８ｃの爪８ｃ’を前方係止部１０ａに弾性係合させて枠体６を前方揺動位置に保持し、弾性フック８ｃの爪８ｃ”を後方係止部１０ｂに弾性係合させて枠体６を後方揺動位置に保持することができる。
【００１８】
図３、８から分かるように、枠体６が後方揺動位置にあり、後方揺動位置に在り下縁が上方から腕部５に当接した前面パネル２の下縁部に枠体６の爪７ｄが前方から当接した状態では、枠体６の第２部分８はスロットマシンプレイヤーの視界から遮蔽される。従って、スロットマシンの稼働時にスロットマシンプレイヤーの視界から遮蔽され枠体６の第２部分８は意匠性向上のための表面処理を必要としない。表面処理をしないことにより、枠体６の第２部分８が備える弾性フック８ｃの、メッキや塗装による硬化等に起因する弾性低下を防止することができる。
【００１９】
図２から分かるように、枠体６が前方揺動位置に在る時、枠体６の第２部分８の第２脚部８ｂは腕部５の下方後方から腕部５の下方前方に亙って延在している。
枠体６が前方揺動位置に在る状態では、後方揺動位置に在る前面パネル２の下縁は上方から腕部５に当接するのみであり、腕部５に沿って前方へ滑動可能である。係る状態で、前面パネル２の上縁部が何らかの原因で顎部３による挟持から離脱すると、前面パネル２は下縁を腕部５に沿って前方へ滑らせつつスロットマシン本体１から脱落する可能性がある。枠体６が前方揺動位置に在る時、枠体６の第２部分８の第２脚部８ｂが腕部５の下方後方から腕部５の下方前方に亙って延在していれば、前面パネル２の下縁が腕部５に沿って前方へ滑り、腕部５の前端から滑落した時に、枠体６の第２部分８の第２脚部８ｂが滑落した前面パネル２の下縁を受け止めるので、前面パネル２のスロットマシン本体１からの脱落が防止される。
【産業上の利用可能性】
【００２０】
本発明は、着脱可能な前面パネルを有する種々の遊技機に利用可能である。
【図面の簡単な説明】
【００２１】
【図１】本発明の実施例に係る遊技機前面パネルの取り付け構造を備えるスロットマシンの、前面パネルと枠体とを取り外した状態での外観斜視図である。
【図２】図１の一点鎖線で示す面Ａに沿った部分断面図である。
【図３】図１の一点鎖線で示す面Ａに沿った部分断面図である。
【図４】図１の部分拡大図である。
【図５】本発明の実施例に係る遊技機前面パネルの取り付け構造を構成する枠体の斜視図である。
【図６】図２の部分拡大図である。
【図７】本発明の実施例に係る遊技機前面パネルの取り付け構造を備えるスロットマシンの枠体と前面パネルとが前方揺動位置に在る時の外観斜視図である。
【図８】本発明の実施例に係る遊技機前面パネルの取り付け構造を備えるスロットマシンの枠体と前面パネルとが後方揺動位置に在る時の外観斜視図である。
【符号の説明】
【００２２】
１  スロットマシン本体
１ａ  開口
２  前面パネル
３  顎部
４  揺動止め部
５  腕部
６  枠体
７  第１部分
７ｃ、７ｄ  爪
８  第２部分
８ｂ  第２脚部
８ｃ  弾性フック
８ｃ’  爪部
８ｃ”  バネ部
９  爪
１０ａ  前方係止部
１０ｂ  後方係止部
【図１】
2007089720.tif 000003
【図２】
2007089720.tif 000004
【図３】
2007089720.tif 000005
【図４】
2007089720.tif 000006
【図５】
2007089720.tif 000007
【図６】
2007089720.tif 000008
【図７】
2007089720.tif 000009
【図８】
2007089720.tif 000010